(57)【要約】【課題】既存の第１の規格に対応する記録用ディスクに、第１の規格よりフォーマット効率の高い第２の規格のデータフォーマットを採用して第１の規格に則ったオーディオデータを記録する場合、フォーマットの相違により記録再生に不具合が生じる。【解決手段】既存の第１の規格に対応する記録用ディスクに、第２記録系信号処理回路１３により生成される記録データを記録する高密度記録モードによる記録を行うようにし、記録データが第１の規格のオーディオデータの場合、第２の規格に対応させて誤り検出符号及び誤り訂正符号を付加すると共に、このオーディオデータを第２の規格のユーザデータのデータ量に対応させてセクタごとに再分割して記録し、この再分割により記録単位の最終セクタにおけるユーザデータの空き容量が生じるが、この空き容量に特定データをパディングするようにしている。【選択図】　　図１
2004118910.tif 000002
【特許請求の範囲】
【請求項１】
既存の第１の規格に規定された記録用ディスクフォーマットに対応するディスクに前記第１の規格よりデータフォーマットの効率が高い第２の規格に準拠するデータフォーマットの記録データを記録する光ディスク装置において、前記第１の規格に準拠するデータフォーマットに対応する記録データを生成するべく入力データを信号処理する第１記録系信号処理回路と、前記第２の規格に準拠するデータフォーマットに対応する記録データを生成するべく入力データを信号処理する第２記録系信号処理回路とを備え、第１の規格に対応する記録用ディスクへの記録時に、前記第１及び第２記録系信号処理回路の一方を選択的に使用可能とし、前記第２記録系信号処理回路により生成される記録データを第１の規格に対応する記録用ディスクに記録する場合であって、第１の規格のオーディオ用データフォーマットと第２の規格のデータフォーマットとで各セクタのユーザデータのデータ量が相違し、前記第２記録系信号処理回路により処理される入力データがオーディオデータである場合に、第２の規格のデータフォーマットに対応させて誤り検出符号及び誤り訂正符号を付加して前記オーディオデータを記録すると共に、このオーディオデータを第２の規格のデータフォーマットのユーザデータのデータ量に対応させてセクタごとに再分割して記録し、この再分割によりオーディオデータのセクタ単位の最終データが記録される記録単位の最終セクタにおけるユーザデータの空き容量に特定データをパディングしたことを特徴とする光ディスク装置。
【請求項２】
第２の規格のデータフォーマットには各セクタにヘッダが規定されており、ユーザデータにオーディオデータを記録する場合に前記ヘッダにオーディオデータであることを識別する識別子を付加することを特徴とする請求項１記載の光ディスク装置。
【請求項３】
第１の規格の記録用ディスクフォーマットにはリードインエリアが規定されており、このリードインエリアにオーディオデータが記録されたオーディオトラックを識別する識別データを記録することを特徴とする請求項１記載の光ディスク装置。
【請求項４】
請求項１に記載の光ディスク装置によって第１の規格に規定された記録用ディスクフォーマットに対応するディスクに第２の規格に準拠するデータフォーマットのオーディオデータが記録されたディスクを再生する光ディスク装置であって、前記第１の規格に準拠するデータフォーマットに対応する記録データをデコードするべくディスクを読み取った読み取りデータを信号処理する第１再生系信号処理回路と、前記第２の規格に準拠するデータフォーマットに対応する記録データをデコードするべくディスクを読み取った読み取りデータを信号処理する第２再生系信号処理回路とを備え、第１の規格に対応のディスクから読み取った読み取りデータが第１の規格及び第２の規格のいずれに準拠するデータフォーマットに対応するかを判断すると共に、この判断により第１の規格に準拠するデータフォーマットに対応することが判別されたときには読み取りデータを前記第１再生系信号処理回路に供給し、第２の規格に準拠するデータフォーマットに対応することが判別されたときには読み取りデータを前記第２再生系信号処理回路に供給し、かつ、第２の規格に準拠するデータフォーマットに対応することが判別されたときには前記第２再生系信号処理回路によりデコードされた再生データがオーディオデータか否かを識別し、オーディオデータと識別された際に再生データを記憶するメモリからオーディオ再生に適合するサンプリングレートでユーザデータのみをＤＡコンバータに送り込むことを特徴とする光ディスク装置。
【発明の詳細な説明】
【０００１】
【発明の属する技術分野】
本発明は、既存の規格のディスクフォーマットに対応のディスクにその規格よりデータフォーマットの効率が高い規格に準拠するデータフォーマットの記録データの記録を可能にした光ディスク装置に関し、特に、ＣＤ規格に対応する記録用ディスクにＤＶＤ規格に準拠するデータフォーマットに生成された記録データを記録するのに好適な光ディスク装置に関する。
【０００２】
【従来の技術】
光学ヘッドを用いて光学的に記録・再生を行う光ディスクの規格としては、ＣＤ（Ｃｏｍｐａｃｔ　Ｄｉｓｃ）規格と、ＣＤと同一ディスク径として機構的な互換性を確保した上で更なる大容量のニーズに応えてＣＤより高密度のＤＶＤ（Ｄｉｇｉｔａｌ　Ｖｅｒｓａｔｉｌｅ　Ｄｉｓｃ）規格が知られている。
【０００３】
このＤＶＤに対応するＤＶＤドライブにおいてはＣＤとの上位互換が確保されており、ＣＤの再生が可能となっている。
【０００４】
ところで、記録可能な光ディスクはＣＤ及びＤＶＤの両方式に存在し、ＣＤの記録方式はＣＤ−Ｒ（Ｒｅｃｏｒｄａｂｌｅ）及びＣＤ−ＲＷ（ＲｅＷｒｉｔａｂｌｅ）に統一されているが、ＤＶＤの記録方式は現在のところ種々の規格が乱立し、デファクトスタンダードが確立されていない状況にある。
【０００５】
ディスクに記録可能な記憶容量に関しては、ＣＤに比べてＤＶＤの方が圧倒的に大容量であり、パソコンで扱うファイルのデータ量が増大してきている状況において、ＣＤ−Ｒ及びＣＤ−ＲＷディスクの記憶容量が標準で６５０ＭＢ（メガバイト）と７００ＭＢであることからこの記憶容量では十分でない状況になってきている。
【０００６】
しかしながら、ＣＤ規格の記録方式は先に述べたように統一されており、ＣＤ−Ｒ／ＲＷドライブが普及されているので、ＣＤ−Ｒ及びＣＤ−ＲＷ用の記録系信号処理回路のＬＳＩが安価で出回っていると共に、ＣＤ−Ｒ及びＣＤ−ＲＷ用のディスクが市場に安価で出回っている。
【０００７】
そこで、ＣＤ規格のデータフォーマット、すなわち、ＣＤの変調コード（ＥＦＭ）及び誤り訂正符号（ＥＣＣ）を採用しながら、ディスクに記録するピット及びランドよりなる記録マークの長さを短縮し、規格による線密度よりも高密度化してディスクの記録容量の高容量化を図ることが提案されている（例えば、特許文献１参照。）。
【０００８】
【特許文献１】
特開２０００−２５０６４号公報
【０００９】
【発明が解決しようとする課題】
前述のように既存の規格のデータフォーマットを採用して記録容量の拡大を図ると、市場で出回っている安価な記録系信号処理回路のＬＳＩを使用できると共に、設計が容易であり、また、既存のＣＤ−Ｒ及びＣＤ−ＲＷ用ディスクを使用することが可能である。
【００１０】
しかしながら、フォーマット効率がデータフォーマットにより固定されるので、フォーマット効率を向上させてディスクに高密度記録することが出来ず、ディスクの記録再生に前記規格に適合する波長のレーザービームを用いる場合、ディスク上のレーザースポット径の関係から記録マークの長さを大幅に短縮することが出来ず、十分な高密度化が行えない問題があった。
【００１１】
その為、更にフォーマット効率を向上させてディスクに高密度記録させることが考えられるが、この場合、規格によるデータフォーマットの相違点から不具合が生じ、その１つとしてオーディオデータの記録再生がある。
【００１２】
図５はＣＤのオーディオ規格であるＣＤ−ＤＡ規格のデータフォーマットのオーディオデータをＣＤ−ＤＡ規格に則ったデコード処理により展開した状態におけるデータ構成（１セクタ分）を示し、一方、図６はＤＶＤ規格のデータフォーマットのデータをＤＶＤ規格に則ったデコード処理により展開した状態におけるデータ構成（１６セクタ分）を示している。
【００１３】
このようにデコード処理後において、ＣＤ−ＤＡ規格のデータ構成にはＤＶＤ規格のデータ構成に存在するヘッダ、誤り検出符号（Ｅｒｒｏｒ　ｄｅｔｅｃｔｉｏｎ　ｃｏｄｅ（ＥＤＣ））及び誤り訂正符号（Ｅｒｒｏｒ　ｃｏｒｒｅｃｔｉｏｎ　ｃｏｄｅ（ＥＣＣ））が付加されていない。
【００１４】
そして、ユーザデータ量もＣＤ−ＤＡが２３５２バイトに対し、ＤＶＤが２０４８バイトと相違する。
【００１５】
その為、ＣＤ−ＤＡデータをＤＶＤ規格のデータフォーマットに則って記録する場合、１セクタ分のＣＤ−ＤＡデータがＤＶＤ規格の１セクタに入り切らないと共に、また、ＤＶＤ規格のデータフォーマットに則ってＣＤ−ＤＡデータを記録したとしてもデータ構成の違いによりそのままでは再生できないという問題があった。
【００１６】
本発明は、上述の問題点に鑑み、所定の規格のディスクフォーマットに対応する記録用ディスクに、前記規格よりフォーマット効率の高い既存のデータフォーマットに則って記録することにより高密度記録モードでの記録が行えるようにすると共に、オーディオデータをこのオーディオデータのデータフォーマットと相違するデータフォーマットに則ってディスクに記録し、このディスクを再生する光ディスク装置を提供することを目的とする。
【００１７】
【課題を解決するための手段】
本発明は、既存の第１の規格に準拠するデータフォーマットに対応する記録データを生成するべく入力データを信号処理する第１記録系信号処理回路と、前記第１の規格よりデータフォーマットのフォーマット効率の高い第２の規格に準拠するデータフォーマットに対応する記録データを生成するべく入力データを信号処理する第２記録系信号処理回路とを備え、第１の規格に対応する記録用ディスクへの記録時に、前記第１及び第２記録系信号処理回路の一方を選択的に使用可能とし、前記第２記録系信号処理回路により生成される記録データを第１の規格に対応する記録用ディスクに記録する場合であって、第１の規格のオーディオ用データフォーマットと第２の規格のデータフォーマットとで各セクタのユーザデータのデータ量が相違し、前記第２記録系信号処理回路により処理される入力データがオーディオデータである場合に、第２の規格のデータフォーマットに対応させて誤り検出符号及び誤り訂正符号を付加して前記オーディオデータを記録すると共に、このオーディオデータを第２の規格のデータフォーマットのユーザデータのデータ量に対応させてセクタごとに再分割して記録し、この再分割によりオーディオデータのセクタ単位の最終データが記録される記録単位の最終セクタにおけるユーザデータの空き容量に特定データをパディングするようにしている。これによりオーディオデータをこのオーディオデータのデータフォーマットと相違するデータフォーマットに則ってディスクに記録可能としている。
【００１８】
また、本発明は、第１の規格に準拠するデータフォーマットに対応する記録データをデコードするべくディスクを読み取った読み取りデータを信号処理する第１再生系信号処理回路と、第２の規格に準拠するデータフォーマットに対応する記録データをデコードするべくディスクを読み取った読み取りデータを信号処理する第２再生系信号処理回路とを備え、第１の規格に対応のディスクから読み取った読み取りデータが第１の規格及び第２の規格のいずれに準拠するデータフォーマットに対応するかを判断すると共に、この判断により第１の規格に準拠するデータフォーマットに対応することが判別されたときには読み取りデータを前記第１再生系信号処理回路に供給し、第２の規格に準拠するデータフォーマットに対応することが判別されたときには読み取りデータを前記第２再生系信号処理回路に供給し、かつ、第２の規格に準拠するデータフォーマットに対応することが判別されたときには前記第２再生系信号処理回路によりデコードされた再生データがオーディオデータか否かを識別し、オーディオデータと識別された際に再生データを記憶するメモリからオーディオ再生に適合するサンプリングレートでユーザデータのみをＤＡコンバータに送り込むようにしている。これによりオーディオデータをこのオーディオデータのデータフォーマットと相違するデータフォーマットに則って記録されたディスクからオーディオデータのみを再生する。
【００１９】
【実施例】
図１は本発明に係る光ディスク装置の一実施例を示す回路ブロック図である。図１の光ディスク装置はＣＤの記録再生及びＤＶＤの再生が行えると共に、ＤＶＤ規格に準拠したデータフォーマットに対応させた記録信号処理及び再生信号処理が行える新機軸のＣＤ−Ｒ／ＲＷドライブである。
【００２０】
図１において、１はディスクの信号トラックをトレースするレーザービームを出射し、ディスクに対してデータ信号の書き込み及び読み取りを行う光学ヘッドである。この光学ヘッド１は、ＣＤの記録再生に用いる７８０ｎｍの波長のレーザービームを発光する第１レーザーダイオード１ａと、ＤＶＤの再生に用いる６５０ｎｍの波長のレーザービームを発光する第２レーザーダイオード１ｂとを光源として備え、各レーザーダイオード１ａ，１ｂからそれぞれ発光されるレーザービームを２焦点の対物レンズ（図示せず）を介してＣＤ及びＤＶＤの各ディスクに照射する構成となっている。
【００２１】
２は光学ヘッド１から発生される各種受光出力を用いてディスクから読み取られるデータ信号のＲＦ信号（ラジオ周波信号）を生成し、そのＲＦ信号を最適レベルにゲインコントロールすると共に、各ディスクに応じてイコライジングして２値データ化し、かつ、光学ヘッド１からディスクに照射されるレーザービームのディスク信号面とのフォーカスずれを示すフォーカスエラー信号、及び前記レーザービームのディスクの信号トラックとのトラッキングずれを示すトラッキングエラー信号を生成するフロントエンド処理回路である。
【００２２】
３は前記フォーカスエラー信号に応じてメインビームをディスクの信号面に合焦させるフォーカス制御、及び前記トラッキングエラー信号に応じてメインビームをディスクの信号トラックに追従させるトラッキング制御を行うと共に、光学ヘッド１自体をディスクの径方向に送るスレッド送り制御を行うヘッドサーボ回路である。
【００２３】
４はＣＤ方式の記録用ディスク（ＣＤ−Ｒ，ＣＤ−ＲＷ）のプリグルーブ（Ｐｒｅ−ｇｒｏｏｖｅ）からフロントエンド処理回路２により抽出されるウォブル（ｗｏｂｂｌｅ）信号から時間情報アドレスのＡＴＩＰ（Ａｂｓｏｌｕｔｅ　Ｔｉｍｅ　Ｉｎ　Ｐｒｅ−ｇｒｏｏｖｅ）アドレスを復調するＡＴＩＰデコーダである。
【００２４】
５はフロントエンド処理回路２から出力されるディスクの読み取りデータをＣＤ規格で規定されたデータフォーマットに対応してデコード処理を行うＣＤ用デコーダである。ＣＤ規格は変調コードとしてＥＦＭ（Ｅｉｇｈｔ　ｔｏ　Ｆｏｕｒｔｅｅｎ　Ｍｏｄｕｌａｔｉｏｎ）を採用し、誤り訂正符号としてＣＩＲＣ（Ｃｒｏｓｓ　Ｉｎｔｅｒｌｅａｖｅｄ　Ｒｅｅｄ−Ｓｏｌｏｍｏｎ　Ｃｏｄｅ）を採用しているので、前記ＣＤ用デコーダ５はこれらの変調コード及び誤り訂正符号に基づくデコード処理を行う。
【００２５】
６はフロントエンド処理回路２から出力されるディスクの読み取りデータをＤＶＤ規格のデータフォーマットに対応してデコード処理するＤＶＤ用デコーダである。ＤＶＤ規格は変調コードとしてＥＦＭ−Ｐｌｕｓ（８−１６）を採用し、誤り訂正符号としてＲＳ（Ｒｅｅｄ−Ｓｏｌｏｍｏｎ）　Ｐｒｏｄｕｃｔ−Ｃｏｄｅを採用しているので、前記ＤＶＤ用デコーダ６はこれらの変調コード及び誤り訂正符号に基づくデコード処理を行う。
【００２６】
７はＣＤ用デコーダ５及びＤＶＤ用デコーダ６によりＣＤ−ＤＡ規格に則ったオーディオデータがデコードされた際にそのオーディオデータをデジタルアナログ変換してオーディオ出力端子８，９から出力するＤ／Ａコンバータである。
【００２７】
１０は接続端子１１を介して接続されるパソコン等の上位機器とのデータの受け渡しを制御するインタフェースである。
【００２８】
１２はインタフェース１０を介して入力される入力データをＣＤ規格のデータフォーマットに基づくエンコード処理を行い、そのデータフォーマットに則ったデータ構造のＣＤデータを生成するＣＤ用エンコーダである。
【００２９】
１３はインタフェース１０を介して入力される入力データをＤＶＤ規格のデータフォーマットに基づくエンコード処理を行い、そのデータフォーマットに則ったデータ構造のＤＶＤデータを生成するＤＶＤ用エンコーダである。
【００３０】
１４はインタフェース１０により入力される入力データを一時記憶し、ＣＤ用エンコーダ１２及びＤＶＤ用エンコーダ１３によってエンコード処理する際に使用されると共に、ＣＤ用デコーダ５及びＤＶＤ用デコーダ６によってデコード処理する際に使用され、かつ、デコード処理された後の再生データが蓄えられるＲＡＭ、１５は該ＲＡＭ１４の書き込み及び読み出しを制御するメモリコントローラ、１６ディスクの記録及び再生に係るシステム全般の制御を行うシステム制御マイコンである。
【００３１】
１７はＣＤ−Ｒ及びＣＤ−ＲＷの各ディスクの記録特性を考慮してディスクに最適な記録が行われるように光学ヘッド１の発光出力を制御するライトストラテジ回路、１８はＣＤ及びＤＶＤの再生時においてフロントエンド処理回路２に含まれるＡＰＣ（Ａｕｔｏｍａｔｉｃ　Ｐｏｗｅｒ　Ｃｏｎｔｒｏｌ）回路（図示せず）に応じて第１レーザーダイオード１ａ及び第２レーザーダイオード１ｂを駆動すると共に、記録時においてライトストラテジ回路１７から発生されるパルス信号に応じて光学ヘッド１の第１レーザーダイオード１ａを駆動するレーザー駆動回路である。
【００３２】
１９はディスクを回転駆動するスピンドルモータ、２０は該スピンドルモータ１９を駆動するモータ駆動回路、２１は該モータ駆動回路２０を制御するモータ制御回路である。該モータ制御回路２１は、ディスクに記録されたデータ信号から抽出される同期信号及びビットクロックを用いて、あるいはＡＴＩＰデコーダ４により復調されるＡＴＩＰ信号と同期をとって線速度一定方式で回転制御することが出来ると共に、スピンドルモータ１９の回転に応じて発生するパルス信号を用いて角速度一定方式で回転制御可能となっている。
【００３３】
このように構成される図１の光ディスク装置は、ＣＤ及びＤＶＤの再生が可能であると共に、ＣＤ−Ｒ及びＣＤ−ＲＷの各ディスクにＣＤ規格に準拠する標準記録モードの記録が可能であり、かつ、ＣＤ−Ｒ及びＣＤ−ＲＷの各ディスクにＤＶＤのデータフォーマットに対応したデータを記録する高密度記録モードの記録が行えるようになっている。
【００３４】
尚、記録用ＤＶＤディスクを用いた純粋なＤＶＤ記録に対応させていないが、この純粋なＤＶＤ記録に対応させた光ディスク装置とすることも当然可能である。
【００３５】
まず最初に、ＣＤ−Ｒ／ＲＷのディスクフォーマットについて説明する。
【００３６】
ＣＤ−Ｒ／ＲＷディスクは、図２に示す如く、ディスクの内周側からＰＣＡ（Ｐｏｗｅｒ　Ｃａｌｉｂｒａｔｉｏｎ　Ａｒｅａ），ＰＭＡ（Ｐｒｏｇｒａｍ　Ｍｅｍｏｒｙ　Ａｒｅａ），リードインエリア，プリギャップエリア，プログラムエリア及びリードアウトエリアが形成される。
【００３７】
ＰＣＡは試し書きを行うテストエリアと試し書きが行われた回数を記憶するカウンタエリアとを備え、ＰＭＡはディスクに記録中のデータやトラックのディスク情報をセッションをクローズするまでの一時的な期間格納する領域として使用し、リードインエリアにはセッションのクローズ時にＴＯＣ（Ｔａｂｌｅ　Ｏｆ　Ｃｏｎｔｅｎｔｓ）としてＰＭＡに格納されているディスク情報が記録される。
【００３８】
ところで、高密度記録モードの場合、ＣＤ−Ｒ／ＲＷのディスクフォーマットと相違する特別のディスクフォーマットが採用される。
【００３９】
この高密度記録モードのディスクフォーマットは、図５に示す如く、ディスクの内周側から順にＰＣＡ，フォーマットエリア，ＰＭＡ（含むＴＯＣエリア）　，プログラムエリア及びリードアウトエリアが形成される。
【００４０】
このディスクフォーマットにおいては、通常（標準記録モード）のＣＤ−Ｒ／ＲＷのディスクフォーマットをカッコ内に示し対比させると、ＰＣＡがそのままＰＣＡで、フォーマットエリアがＰＭＡ，ＰＭＡ　（含むＴＯＣエリア）がリードインエリアにそれぞれ設けられている。
【００４１】
この高密度記録モードのディスクフォーマットの場合、ＣＤ−Ｒ／ＲＷのディスクフォーマットのリードインエリアがＴＯＣエリアを含むＰＭＡとして使用され、このＰＭＡにＣＤにおけるＴＯＣデータとしての役割も担うＰＭＡデータ（ＰＭＤ）をメインチャンネルに記録し、このＰＭＡデータがクローズ後にＴＯＣデータに相当するデータ（ＰＭＤ）として使用される。（この場合、ＰＭＡデータのリードインが先頭に形成される。）
前記フォーマットエリアは高密度記録モードに専用のフォーマットコマンドによってＰＭＡに無関係な特定データが全域に渡ってパディングされ、この特定データは例えば全て「０」によって構成されたり、あるいは製造者識別コード、モデル番号、シリアル番号及び高密度記録モードのディスクフォーマットを示すコード等のデバイス情報データによって構成される。
【００４２】
次に、図１に示す光ディスク装置の動作について使用ディスクの判別ルーチンのフローチャートを示す図４を用いて説明する。
【００４３】
ディスクが装着されると、まず光学ヘッド１の第１レーザーダイオード１ａがレーザー駆動回路１４によりディスクからの反射光量レベルに応じて再生状態とするべく駆動され、ディスクのＡＴＩＰ信号の検出が行われて記録用ディスクか再生専用ディスクかの判別がディスク判別手段２２により行われる（ステップａ）。この場合、ＡＴＩＰ信号が検出されないと、再生専用ディスクと判定する（ステップｂ）。
【００４４】
尚、再生専用ディスクと判別された場合、更にＣＤかＤＶＤかの判別が行われる。
【００４５】
ステップａの処理によりＡＴＩＰ信号が検出されると、記録用ディスク、すなわちＣＤ−ＲあるいはＣＤ−ＲＷであると判定し、この判定が行われた際には記録用ＣＤのディスクフォーマット上のＰＭＡ領域をアクセスし、この領域の信号検出を行う（ステップｃ）。
【００４６】
そして、ＰＭＡ領域にデータが存在するか否かが判断され（ステップｄ）、この判断でデータが存在しないと判断された場合、未記録ディスクと判定される（ステップｅ）。
【００４７】
一方、ＰＭＡ領域にデータが存在する判断されると、次に、ＰＭＡ領域が全域に渡ってデータが記録されているデータ満杯状態か否かが判断される（ステップｆ）。
【００４８】
データ満杯状態でないと判断されると、標準記録モードによる記録が行われたディスクと判定する（ステップｇ）。
【００４９】
データ満杯状態と判断され場合は、更に標準記録モードによるＰＭＡに則った復調を試みてデータ判読の可否を判断する（ステップｈ）。
【００５０】
標準記録モードによるＰＭＡの領域がデータ満杯状態と判断された場合、ＰＭＡに則った復調を試みてデータの判読が可能か否かを判断し、データの判読が不可でＰＭＡに無関係なデータと判断された場合に高密度記録モードによる記録が行われたディスクと判定し（ステップｉ）、一方、データの判読が可能でＰＭＡに関係するデータと判断された場合に標準記録モードによる記録が行われたディスクと判定する（ステップｇ）。
【００５１】
これにより装着されたディスクが高密度記録モードによる記録が行われたディスクと判定された場合、及び未記録ディスクと判定された場合、高密度記録モードによる記録が可能と判断される。
【００５２】
一方、装着されたディスクが標準記録モードによる記録が行われたディスクと判定された場合、及び未記録ディスクと判定された場合、標準記録モードによる記録が可能と判断される。
【００５３】
次に、標準記録モードによる記録について説明する。
【００５４】
接続端子１１に接続される上位機器から送信される記録コマンドにより標準記録モードによるディスクへの記録が要求されると、その要求に応じて記録用ＣＤのディスクフォーマットに対応してディスク記録を実行する体制が整えられるべく、システム制御マイコン１６により各回路が通常記録モードのディスク記録を行う状態に切り替えられ、ＣＤ用エンコーダ１２を使用する記録信号処理系が選択される。
【００５５】
また、ディスク記録が行われる標準記録モード及び判別されたディスクの種別に応じてフロントエンド処理回路２、ヘッドサーボ回路３、ライトストラテジ回路１７及びレーザー駆動回路１８はディスク記録に適合した動作を行うように設定が切り替えられる。
【００５６】
また、上位機器から送信される記録コマンドにより要求された記録速度により記録動作を行うべくモータ制御回路２１はシステム制御マイコン１６により設定される記録速度に対応する回転速度でディスクを駆動するべくモータ駆動回路２０を制御する。
【００５７】
そして、ライトストラテジ回路１７は、設定される記録速度に対応して光学ヘッド１の第１レーザーダイオード１ａの発光出力をその記録速度に適合するあらかじめ決められた記録レベルに設定するべくレーザー駆動回路１８を制御する。
【００５８】
ディスクへの記録が開始される前に、ＡＴＩＰ情報を用いてディスクのＰＭＡが検索され、そのＰＭＡのデータを読み取り、セッションのクローズが行われていないことの確認を行うと共に、ディスク情報のデータを取得し、ディスク記録が可能か否か、及び記録を行えるアドレスを把握する。
【００５９】
また、設定された記録速度において、ディスクのＰＣＡに発光出力を段階的に変化させて試し書きが行われ、再生した際の誤り率を最少とするべく光学ヘッド１の発光出力が最適記録レベルに設定される。
【００６０】
このようなディスク記録の準備が完了した状態で、上位機器から記録を要求するコマンド及びデータが送信されると、そのコマンド及びデータがインタフェース１０を介して受信され、記録が要求されたデータがメモリコントローラ１５の制御の基にＲＡＭ１４に書き込まれる。
【００６１】
ＲＡＭ１４に書き込まれたデータの備蓄量がエンコード処理を開始するデータ容量に達すると、メモリコントローラ１５の制御によりＲＡＭ１４からデータが読み出され、このデータがＣＤ用エンコーダ１２に入力される。システム制御マイコン１６の制御の基にＣＤ用エンコーダ１２が動作し、ＣＤ用エンコーダ１２は前記データをエンコード処理し、ＣＤ規格のデータフォーマットに則ったデータ構造のＣＤデータを生成する。
【００６２】
このＣＤデータはライトストラテジ回路１７に供給され、ライトストラテジ回路１７は記録ディスクに応じてＣＤ−ＲあるいはＣＤ−ＲＷの記録特性を考慮し、ＰＣＡにおける試し書きにより設定された最適記録レベルでディスク記録が行えるようにＣＤデータに基づく記録パルスを発生する。これにより光学ヘッド１の第１レーザーダイオード１ａが駆動され、記録パルスに応じてディスクに前記ＣＤデータに基づく記録マークが形成されてディスクに記録データが記録される。
【００６３】
次に、ＣＤ−Ｒ及びＣＤ−ＲＷの各ディスクにＤＶＤのデータフォーマットに対応したデータを記録する高密度記録モードの記録動作について説明する。
【００６４】
高密度記録モードによる記録が可能と判断された場合、接続端子１１に接続される上位機器から送信される記録コマンドにより高密度記録モードによるディスクへの記録が要求されると、その要求に応じて高密度記録モードのディスクフォーマットに対応してディスク記録を実行する体制が整えられるべく、システム制御マイコン１６により各回路が高密度記録モードのディスク記録を行う状態に切り替えられ、ＤＶＤ用エンコーダ１３を使用する記録信号処理系が選択される。
【００６５】
また、ディスク記録が行われる高密度記録モード及び判別されたディスクの種別に応じてフロントエンド処理回路２、ヘッドサーボ回路３、ライトストラテジ回路１７及びレーザー駆動回路１８はディスク記録に適合した動作を行うように設定が切り替えられる。
【００６６】
また、標準記録モードと同様に、要求された記録速度により記録動作を行うべくモータ制御回路２１はシステム制御マイコン１６により設定される記録速度に対応する回転速度でディスクを駆動するべくモータ駆動回路２０を制御し、そして、ライトストラテジ回路１７は、設定される記録速度に対応して光学ヘッド１の第１レーザーダイオード１ａの発光出力をその記録速度に適合するあらかじめ決められた記録レベルに設定するべくレーザー駆動回路１８を制御する。
【００６７】
ところで、高密度記録モードによる記録が許可されるのは、先に説明したディスク判別により高密度記録モードによる記録が可能であると判断した場合であり、この場合、ディスクへの記録が開始される前に、ＡＴＩＰ情報を用いてディスクのＰＭＡが検索される。
【００６８】
高密度記録モードに対応するディスクフォーマットでは図３に示す如く、ＰＭＡが記録用ＣＤのディスクフォーマットにおけるリードインエリアに位置するので、この位置を検索してＰＭＡデータを読み取り、標準記録モードと同様に、セッションのクローズが行われていないことの確認を行うと共に、ディスク情報のデータを取得し、ディスク記録が可能か否か、及び記録を行えるアドレスを把握する。
【００６９】
また、設定された記録速度において、高密度記録モードのディスクフォーマットに対応させてディスクのＰＣＡに発光出力を段階的に変化させて試し書きが行われ、再生した際の誤り率を最少とするべく光学ヘッド１の発光出力が最適記録レベルに設定される。
【００７０】
この高密度記録モードの場合、本願出願人が先に出願した特開２００２−５６６１７号に示すように、ＡＴＩＰのアドレスＡに基づいて記録密度倍の実記録アドレスを算出し、この実記録アドレスに基づいて単位ごとにデータを記録して単位期間当たりの記録密度を上げることが行われる。この場合、記録密度倍が標準密度のあらかじめ設定されるｎ倍（ｎ＞１）とすると、実記録アドレスはＡＴＩＰのアドレスＡのｎ倍に対応する。
【００７１】
このようなディスク記録の準備が完了した状態で、上位機器から記録を要求するコマンド及びデータが送信されると、そのコマンド及びデータがインタフェース７を介して受信され、記録が要求されたデータがＲＡＭ１４に書き込まれる。
【００７２】
ＲＡＭ１４に書き込まれたデータの備蓄量がエンコード処理を開始するデータ容量に達すると、ＲＡＭ１４からデータが読み出され、ＤＶＤ用エンコーダ１０はこのデータをエンコード処理し、ＤＶＤ規格のデータフォーマットに則ったデータ構造のＤＶＤデータを生成する。
【００７３】
このＤＶＤデータはライトストラテジ回路１７に供給され、ライトストラテジ回路１７は記録ディスクに応じてＣＤ−ＲあるいはＣＤ−ＲＷの記録特性を考慮し、ＰＣＡにおける試し書きにより設定された最適記録レベルでディスク記録が行えるようにＤＶＤデータに基づく記録パルスを発生する。これにより光学ヘッド１の第１レーザーダイオード１ａが駆動され、記録パルスに応じてディスクに前記ＤＶＤデータに基づく記録マークが形成されてディスクに記録データが記録される。
【００７４】
ところで、高密度記録モードにおいて、プログラムエリアに記録される記録データは、ＣＤ−ＲＯＭの論理フォーマットの標準規格であるＩＳＯ９６６０に準拠したファイル構造で記録され、また、最小セクタ単位が２ｋバイトで、記録単位がエラー訂正符号を生成するのに必要な単位の３２ｋバイトになっており、３２ｋバイト未満のファイルで記録を完結する場合、オール「０」のパディングによって３２ｋバイトの記録単位にして記録する。
【００７５】
ここで、ＤＶＤ規格のデータフォーマットはＣＤ規格のデータフォーマットに比べ冗長度が低く、これらのデータフォーマットの冗長度の違いからＤＶＤ規格のデータフォーマットはＣＤ規格のデータフォーマットに対してフォーマット効率が１．４９倍となる。
【００７６】
また、高密度記録モードの場合、先に述べた如く、ディスクに記録される記録データの実記録アドレスがＡＴＩＰのアドレスに比べてｎ倍（ｎ＞１）になされ、同一トラックピッチとしながらディスクに記録される記録データの線記録密度の向上が図られている。
【００７７】
この場合、ＣＤに適合する７８０ｎｍの波長のレーザービームを使用していることから大幅な線記録密度の向上は図れないが、ＣＤ記録用の安価な光学ヘッドを用いることが出来、また、ＣＤに比べてフォーマット効率の向上が図られているので、線記録密度の向上をＣＤの１．３５倍とすると、フォーマット効率の１．４９倍と合わされて１．３５×１．４９＝２．０１倍と高密度記録モードは標準記録モードの約２倍の記録密度で記録が行える。
【００７８】
上述で説明した高密度記録モードによってＣＤ−ＤＡデータを記録する場合について、更に詳細に説明する。
【００７９】
ＣＤ−ＤＡデータの場合、上位機器から１セクタ２３５２バイトのオーディオデータ（図５に示すデータ構成）が送信され、オーディオデータがメモリコントローラ１５の制御の基にＲＡＭ１４に書き込まれる。
【００８０】
ＲＡＭ１４に書き込まれたデータの備蓄量がエンコード処理を開始するデータ容量、すなわちＤＶＤのデータフォーマットのユーザデータ量（２０４８バイト）を１６セクタ分まとめた２０４８バイト×１６＝３２ｋバイトに達すると、メモリコントローラ１５の制御によりＲＡＭ１４からデータが読み出され、このデータがＤＶＤ用エンコーダ１３によりエンコード処理される。
【００８１】
ＤＶＤ用エンコーダ１３はＲＡＭ１４を用いて入力データにＤＶＤ規格のデータフォーマットに則ってヘッダ、誤り検出符号及び誤り訂正符号を付加し図６に示すデータ構成に変換し、このデータをＥＦＭ−Ｐｌｕｓ（８−１６）により変調し、ＤＶＤデータを生成する。
【００８２】
その為、このＤＶＤデータに基づいて記録データがディスクに記録される。
【００８３】
ところで、ＣＤ−ＤＡ規格に対応して上位機器が送信する１セクタ分のデータ量が２３５２バイトに対し、記録するユーザデータのデータ量はＤＶＤ規格に対応して２０４８バイトと相違するので、１セクタ当たり３０４バイトのオーディオデータが余るので、この余ったオーディオデータは次のセクタに順次組み入れられて２０４８バイトに再分割される。
【００８４】
そして、記録単位の最終セクタである１６セクタ目にはオーディオデータのセクタ単位の最終データまで組み入れられた後、２０４８バイトに達するまでの残りのユーザデータの空き容量に「０」データがパディングされてセクタ単位が完成される。
【００８５】
このようにしてセクタごとのユーザデータ量がＣＤ−ＤＡ規格とＤＶＤ規格と相違してもデータの欠落なく正しくディスク記録が行えるようになっている。
【００８６】
また、オーディオデータを記録する場合、ヘッダにはセクタごとにオーディオデータであることを識別する識別子が付加されるようになっている。
【００８７】
一方、リードインエリアにもオーディオデータが記録されたオーディオトラックを識別する識別データを含むＰＭＡデータが記録される。
【００８８】
次に、ディスク再生について説明する。
【００８９】
上位機器から送信される再生コマンドよりディスク再生が要求されると、システム制御マイコン１６により各回路がディスク再生を行う状態に切り替えられ、この際、ディスク装着時のディスク判別によって判別されたディスク種別に対応したディスク再生の体制を整えるべくフロントエンド処理回路２、ヘッドサーボ回路３及びレーザー駆動回路１８は再生する種類のディスクに適合した動作を行うように設定が切り替えられると共に、光学ヘッド１の使用するレーザーダイオード及び使用するデコーダが切り替えられる。
【００９０】
装着されたディスクが再生専用ＣＤであると判断された場合、及び標準記録モードによる記録が行われた記録用ディスクと判断された場合、レーザー駆動回路１８により光学ヘッド１の第１レーザーダイオード１ａがディスクの種別に対応した再生に適した発光出力に設定されて駆動され、光学ヘッド１によりディスクＤの読み取りが行われる。
【００９１】
このディスクＤからの読み取り信号はフロントエンド処理回路２によりＣＤに適した信号処理が行われ、ＲＦ信号を２値化してＣＤデータを生成する。このＣＤデータはメモリコントローラ１５による制御でＲＡＭ１４に記憶され、ＲＡＭ１４に記憶されたＣＤデータはエラー訂正を行う単位（３２ｋバイト）ごとにＣＤ用デコーダ５によりデコード処理される。
【００９２】
一方、フロントエンド処理回路２により生成されるフォーカスエラー信号及びトラッキングエラー信号はＣＤに適した処理により生成されてヘッドサーボ回路３に供給される。
【００９３】
ＣＤ用デコーダ５によりデコード処理されたＣＤデータは、ＣＤ規格のデータフォーマットに対応して復調されて上位機器の要求データとなる。
【００９４】
ところで、ＣＤ規格にはサブコードが存在し、このサブコードのＱ信号にはコントロールエリアにＣＤ−ＤＡデータかＣＤ−ＲＯＭデータかを識別する識別コードが付加されているので、ＣＤ用デコーダ５によるデコード処理の際に行われるサブコードＱ信号の復号により再生されているデータがＣＤ−ＤＡデータかＣＤ−ＲＯＭデータかが識別される。
【００９５】
ＣＤ−ＲＯＭデータの場合、ＣＤ用デコーダ５によりデコード処理されたＣＤデータは、必要に応じてＲＡＭ１４に一時記憶された後、インタフェース１０を介して接続端子１１に接続される上位機器に供給される。
【００９６】
一方、ＣＤ−ＤＡデータの場合、ＣＤ用デコーダ５によりデコード処理されたＣＤデータは、Ｄ／Ａコンバータ７によりアナログ信号にＤ／Ａ変換されてオーディオ出力端子８，９から出力される。
【００９７】
次に、装着されたディスクがＤＶＤであると判断された場合について説明する。
【００９８】
この場合、レーザー駆動回路１８により光学ヘッド１の第２レーザーダイオード１ｂがディスクの種別に対応した再生に適した発光出力に設定されて駆動され、光学ヘッド１によりディスクＤの読み取りが行われる。
【００９９】
このディスクＤからの読み取り信号はフロントエンド処理回路２によりＤＶＤに適した信号処理が行われ、ＲＦ信号を２値化してＤＶＤデータを生成する。このＤＶＤデータはメモリコントローラ１５による制御でＲＡＭ１４に記憶され、ＲＡＭ１４に記憶されたＤＶＤデータはエラー訂正を行う単位（３２ｋバイト）ごとにＤＶＤ用デコーダ６によりデコード処理される。
【０１００】
一方、フロントエンド処理回路２により生成されるフォーカスエラー信号及びトラッキングエラー信号はＤＶＤに適した処理により生成されてヘッドサーボ回路３に供給される。
【０１０１】
ＤＶＤ用デコーダ６に供給されたＤＶＤデータは、このＤＶＤ用デコーダ６によりＤＶＤ規格のデータフォーマットに対応するデコード処理により復調されて上位機器の要求データとなる。
【０１０２】
このデータは必要に応じてＲＡＭ１４に一時記憶された後、インタフェース１０を介して接続端子１１に接続される上位機器に供給される。
【０１０３】
次に、装着されたディスクが高密度記録モードによる記録が行われた記録用ＣＤディスクと判断された場合について説明する。
【０１０４】
この場合、レーザー駆動回路１８により光学ヘッド１の第１レーザーダイオード１ａがディスクの種別に対応した再生に適した発光出力に設定されて駆動され、光学ヘッド１によりディスクＤの読み取りが行われる。
【０１０５】
このディスクＤの読み取りは、高密度記録モードのディスクフォーマットに対応した手順で行われる。
【０１０６】
このディスクＤからの読み取り信号はフロントエンド処理回路２によりＤＶＤに適した信号処理が行われ、ＲＦ信号を２値化してＤＶＤデータを生成する。このＤＶＤデータはメモリコントローラ１５による制御でＲＡＭ１４に記憶され、ＲＡＭ１４に記憶されたＤＶＤデータはエラー訂正を行う単位（３２ｋバイト）ごとにＤＶＤ用デコーダ６によりデコード処理される。
【０１０７】
一方、フロントエンド処理回路２により生成されるフォーカスエラー信号及びトラッキングエラー信号は記録用ＣＤに適した処理により生成されてヘッドサーボ回路３に供給される。
【０１０８】
ＤＶＤ用デコーダ６に供給されたＤＶＤデータは、このＤＶＤ用デコーダ６によりＤＶＤ規格のデータフォーマットに対応するデコード処理により復調されて上位機器の要求データとなる。
【０１０９】
このデータは必要に応じてＲＡＭ１４に一時記憶された後、インタフェース１０を介して接続端子１１に接続される上位機器に供給される。
【０１１０】
次に、高密度記録モードによりＣＤ−ＤＡデータが記録された記録用ＣＤディスクと判断された場合について説明する。
【０１１１】
この場合、ディスク装着によってＣＤ−Ｒ／ＲＷのディスクフォーマットのリードインエリアが読み取られ、ＰＭＡデータ（ＰＭＤ）を復号した際にこのＰＭＤのオーディオトラックを識別する識別データが検出される事によりオーディオトラックであることが確認される。
【０１１２】
ディスクＤの読み取りは、高密度記録モードのディスクフォーマットに対応した手順で行われ、フロントエンド処理回路２によりＤＶＤに適した信号処理が行われて生成されるＤＶＤデータはメモリコントローラ１５による制御でＲＡＭ１４に記憶され、ＲＡＭ１４に記憶されたＤＶＤデータはエラー訂正を行う単位（３２ｋバイト）ごとにＤＶＤ用デコーダ６によりデコード処理される。
【０１１３】
このＤＶＤ用デコーダ６によるデコード処理の際に、システム制御マイコン１６内に備えられたヘッダ復号手段２３により各セクタに設けられたヘッダ情報が復号され、このヘッダ情報としてＣＤ−ＤＡデータであることを示す識別子が含まれているので、再生中のＤＶＤデータがＣＤ−ＤＡデータに則っていることが識別される。
【０１１４】
ＤＶＤ用デコーダ６によるデコード処理後にＲＡＭ１４に展開されるデータ構成は図６に示すとおりであり、ヘッダ、ユーザデータ、誤り検出符号（ＥＤＣ）及び誤り訂正符号（ＥＣＣ）の順になっている。
【０１１５】
ヘッダ復号手段２３によりＣＤ−ＤＡデータであることを示す識別子が検出されると、システム制御マイコン１６の指示によりメモリコントローラ１５はＲＡＭ１４に展開されたデータからユーザデータのみをＤ／Ａコンバータ７に転送し、他のデータをデータ量をカウントしてスキップするようになる。この場合、メモリコントローラ１５に供給される動作クロックはＣＤ−ＤＡデータのサンプリング周波数に対応したものとなり、Ｄ／Ａコンバータ７へはＣＤ−ＤＡデータに適合するサンプリングレートで転送される。
【０１１６】
その為、ＣＤ−ＤＡデータのみがＤ／Ａコンバータ７によりＣＤ−ＤＡデータのサンプリングレートでデジタル信号からアナログ信号に変換され、出力端子８，９からＣＤ−ＤＡデータに対応したオーディオ信号が正しく出力される。
【０１１７】
そして、記録単位の最終セクタにおけるユーザデータにパディングされた特定データ「０」は、無音信号である「０」が所定期間以上連続することで特定データと認識され、Ｄ／Ａコンバータ７に転送されない。
【０１１８】
ところで、高密度記録モードによる記録が行われた記録用ＣＤディスクが既存の記録用ＣＤ規格に対応するＣＤ−Ｒ／ＲＷドライブに装着された場合においては、ディスク装着時にＡＴＩＰ信号を検出し、記録用ＣＤディスクと判断されると、ＰＭＡの取得を行うが、この際ＰＭＡのデータが満杯であって取得されるデータの判読が行えないので、図４の破線に示されるステップｊにように、異常ディスクとしてエラー処理される。
【０１１９】
尚、図１において、ＣＤ用デコーダ５、ＤＶＤ用デコーダ６、ＣＤ用エンコーダ１２及びＤＶＤ用エンコーダ１３は説明の便宜上別ブロックにて示されているが、一般にこれら全ての回路が組み込まれたＬＳＩを用いて構成される。
【０１２０】
【発明の効果】
以上の如く、本発明は、所定の規格のディスクフォーマットに対応する記録用ディスクに、前記規格よりフォーマット効率の高い既存のデータフォーマットに則って高密度記録モードにより前記規格のオーディオデータを記録することが出来る。
【０１２１】
また、高密度記録モードによりセクタごとにヘッダや誤り検出符号及び誤り訂正符号が付加される場合であってもオーディオデータの場合、ヘッダや誤り検出符号及び誤り訂正符号がスキップされてユーザデータのみサンプリング周波数のタイミングでＤ／Ａコンバータに転送されるようになっているので、高密度記録モードによりオーディオデータが記録されたディスクを再生することが出来る。
【０１２２】
特に、ヘッダにオーディオデータであることを識別する識別子を付加しているので、再生時にオーディオデータが記録されたセクタを確実に識別できる。
【０１２３】
更に、リードインエリアにオーディオデータが記録されたオーディオトラックを識別する識別データを記録しているので、ディスク装着時にオーディオデータが記録されたオーディオトラックを有するディスクであることが確認できる。
【図面の簡単な説明】
【図１】本発明に係る光ディスク装置の一実施例を示す回路ブロック図である。
【図２】ＣＤ−Ｒ／ＲＷのディスクフォーマットを説明する説明図である。
【図３】高密度記録モードのディスクフォーマットを説明する説明図である。
【図４】使用ディスクの判別ルーチンを示すフローチャートである。
【図５】ＣＤ−ＤＡ規格のデータフォーマットのオーディオデータをデコード処理により展開した状態におけるデータ構成を示している。
【図６】ＤＶＤ規格のデータフォーマットのデータをデコード処理により展開した状態におけるデータ構成を示している。
【符号の説明】
１　　　　　光学ヘッド
１ａ　　　　第１レーザーダイオード
１ｂ　　　　第２レーザーダイオード
２　　　　　フロントエンド処理回路
５　　　　　ＣＤ用デコーダ（第１再生系信号処理回路）
６　　　　　ＤＶＤ用デコーダ（第２再生系信号処理回路）
７　　　　　Ｄ／Ａコンバータ
１２　　　　　ＣＤ用エンコーダ（第１記録系信号処理回路）
１３　　　　　ＤＶＤ用エンコーダ（第２記録系信号処理回路）
１４　　　　　ＲＡＭ
１５　　　　　メモリコントローラ
１６　　　　　システム制御マイコン
１７　　　　　ライトストラテジ回路
２３　　　　　ヘッダ復号手段
【図１】
2004118910.tif 000003
【図２】
2004118910.tif 000004
【図３】
2004118910.tif 000005
【図４】
2004118910.tif 000006
【図５】
2004118910.tif 000007
【図６】
2004118910.tif 000008